(57)【特許請求の範囲】
【請求項１】
容器と容器口部に嵌着された中栓と、中栓に嵌挿される液導出筒を立設した支持台とを具えた液注出容器であって、
中栓の内筒は、上筒部とその下方が縮径されたシール筒とを具え、
シール筒の下端には、切断溝とその内側を栓部とした底壁が連設されており、
切断溝は、シール筒の内周面に沿って刻設された薄肉の溝底と、該溝底から上方に傾斜する傾斜面とから形成されており、
液導出筒は、筒外周に縦方向に延びる溝状の液流出路が刻設され、筒内周は空気流入路となっており、筒先端に切断刃を具えていることを特徴とする液注出容器。
【請求項２】
容器と容器口部に嵌着された中栓と、中栓に嵌挿される液導出筒を立設した支持台とを具えた液注出容器であって、
中栓は、内筒の下端に薄肉部と厚肉の栓部を具え、その境界に沿って切断部を設け、薄肉部に膨出リングを突設した底壁を連接しており、
液導出筒は、筒外周に縦方向に延びる溝状の液流出路を刻設され、筒内周は空気流入路となっており、筒先端に切断刃を具えていることを特徴とする液注出容器。
【発明の詳細な説明】
【０００１】
【発明の属する技術分野】
本発明は、内容液注出容器の中栓、とくに底壁に容易に切断可能な栓部を設けた内容液注出容器の中栓に関する。
【０００２】
【従来の技術】
容器口部に、有底の中栓を打栓により嵌着した容器に、中栓底壁を打ち抜き切断するとともに、液導出筒を中栓内筒内に嵌挿し、液導出筒に設けた液流出路を通じて内容液を注出させる内容液注出容器は従来より知られている。
【０００３】
【発明が解決しようとする課題】
上記従来の注出容器においては、図９（ａ）に示すように、中栓底壁５０の打ち抜きは、液導出筒５１の先端に設けた切断刃５２を底壁５０に突き刺し、押し込むことによって行われる。
図９において、Ａｂは容器、Ｂｂは中栓である。
しかしながら、従来のものでは、切断刃５２の刃先を中栓底壁５０に突き刺すと、底壁５０の突き刺された切断部が中栓内筒５３下端の接続部から引き伸ばされて変形し、刃先の押圧力が分散され切れにくくなるという問題があった。
【０００４】
そしてまた、切断刃５２が押し込まれ底壁５０の除去部分が切断されたときには、除去部分の外側の底壁５０部分が残り、その残った部分が液導出筒５１を中栓内筒５３に嵌挿し、内容液の注出を行う場合、図９（ｂ）に示すように、バリａとなるという問題があった。
そのため、液導出筒５１の外周に液流出路を設けた場合、液流出路を形成する縦溝５４の巾が大きく、深さが低いときには、バリａが縦溝の断面を小さくし、注出量を少なくするという問題が生じた。
【０００５】
本発明は、上記問題を解決することを課題として、中栓底壁の栓部切断時に、底壁の周辺部がバリとして残らないようにした中栓、或いはバリとして残っても、その部分が液導出筒の液流出路に影響しないようにした中栓を提供することを目的とする。
【０００６】
【課題を解決するための手段】
本発明は、上記の課題を解決するため、液注出容器として、容器と容器口部に嵌着された中栓と、中栓に嵌挿される液導出筒を立設した支持台とを具えた液注出容器であって、中栓の内筒は、上筒部とその下方が縮径されたシール筒とを具え、シール筒の下端には、切断溝とその内側を栓部とした底壁が連設されており、切断溝は、シール筒の内周面に沿って刻設された薄肉の溝底と、該溝底から上方に傾斜する傾斜面とから形成されており、液導出筒は、筒外周に縦方向に延びる溝状の液流出路が刻設され、筒内周は空気流入路となっており、筒先端に切断刃を具えていることを特徴とする構成を採用する。
【０００７】
別実施形態の液注出容器として、容器と容器口部に嵌着された中栓と、中栓に嵌挿される液導出筒を立設した支持台とを具えた液注出容器であって、中栓は、内筒の下端に薄肉部と厚肉の栓部を具え、その境界に沿って切断部を設け、薄肉部に膨出リングを突設した底壁を連接しており、液導出筒は、筒外周に縦方向に延びる溝状の液流出路を刻設され、筒内周は空気流入路となっており、筒先端に切断刃を具えていることを特徴とする構成を採用する。
【０００８】
【発明の実施の形態】
次に、本発明の実施形態について、図面を参照して説明する。
図１は、本発明の液導出筒を嵌挿した内容液注出容器を示す図で、図において、Ａは容器、Ｂは中栓、Ｃは液導出筒を具えた支持台である。
容器の内容液として、用途に応じて、消臭洗浄液、芳香洗浄液、殺菌洗浄液、芳香液などが収納される。
【０００９】
図２に示すように、容器Ａは、口部１と肩部２、胴部３と底部４とからなり、口部１に膨出環５を設けた縮径部６と拡径部７とからなり、下方にはネックリング８が設けられている。
【００１０】
中栓Ｂは、外筒９と上壁１０、内筒１１とからなっており、外筒９には、口部１の膨出環５の下側に係合する膨出環１２が設けられている。
内筒１１は、上筒部１３とその下方の縮径されたシール筒１４とからなっており、シール筒１４の下端には底壁１５が連設されている。
底壁１５には、シール筒１４の内周面に沿って切断溝１６が刻設されており、その内側は栓部１７となっている。
切断溝１６の外周面は、シール筒１４内周面と面一となっており、底部１６ａは薄肉に、内側面１６ｂは傾斜面となっている。
中栓Ｂは、打栓により容器口部１に嵌着されている。
【００１１】
図３に示すように、支持台Ｃは、支持板２０と支持板２０の中央に立設された液導出筒２１、および支持板２０の周辺部に立設された容器Ａの支持杆２２とを具えている。
支持板２０には、液導出筒２１と支持杆２２との間に開口２３が穿孔されており、支持杆２２に対応する支持板２０下面には支持片２４が垂設されている。
【００１２】
液導出筒２１の内側は空気流入路２５となっており、上端近くには、空気流入孔２６を穿孔した隔壁２７が連設されている。
液導出筒２１の上端には、一つの切断刃２８が突起されている。
液導出筒２１外周の下方部は拡径部２９となっており、液注出路３０を形成するため支持板２０まで延びる縦溝３１が等間隔をおいて複数個刻設されている。
【００１３】
次に、本実施形態の使用態様と作用効果について説明する。
本実施形態の液注出容器は、容器Ａに内容液を充填した後、中栓Ｂが打栓され、中栓Ｂを嵌着した容器Ａと支持台Ｃは組として市販される。
使用時には、中栓Ｂ底壁１５の栓部１７を切断して支持台Ｃの液導出筒２１を中栓Ｂの内筒１１内に嵌挿し、支持台Ｃを容器Ａに装着する。
次いで、容器Ａと支持台Ｃを倒立させて所要の場所に載置しておくと、液導出筒２１の外周に設けた液流出路３０を通じて内容液が微量づつ注出される。
【００１４】
中栓Ｂ底壁１５の栓部１７の切断にあたっては、図４に示すように、内筒１１内に液導出筒２１を嵌挿し、切断刃２８の先端を、シール筒１４内周面に沿って下降させて切断溝１６に突き刺し、次いで、支持台Ｃを持って液導出筒２１を押し込んでいくと、切断溝１６の薄肉の底部１６ａが切断され、底壁１５、とくにその栓部１７がシール筒１４から切離される。
その際、切断は、薄肉の底部１６ａを切り裂くだけであるから、少ない押圧力でも容易に切断することができ、シール筒１４の下端には、内周から突出するバリはほとんど残らない。
【００１５】
図５に示すように、内容液注出容器を倒立させたときには、内容液は液導出筒２１の拡径部２９とシール筒１４の間で液流出路３０を形成する縦溝３１を通って流出されるが、バリはほとんどでていないので、液流出路３０の断面が減少することはない。
【００１６】
内容液が全て注出されたときには、容器Ａを新しい容器と取替え、支持台Ｃの液導出筒２１を新しい容器の中栓Ｂ内筒１１に嵌挿し、支持台Ｃを容器Ａに装着することによって再び使用することができる。
【００１７】
次に、第２実施形態について図面を参照して説明する。
本実施形態は、中栓底壁の構成を変え、バリによる液流出路断面の減少をなくしたものである。
容器、容器支持台は、第１実施形態と同一であるので、必要に応じて添字ａを付けて図示し、説明を省略する。
【００１８】
図６に示すように、中栓Ｂａは、外筒９ａと上壁１０ａ、内筒１１ａからなっており、外筒９ａには、容器口部１の膨出環５下側に係合する膨出環１２ａが設けられている。
内筒１１ａは、上筒部４０と縮径されたシール筒４１とからなっており、シール筒４１の下端には、底壁４２が連設されている。
底壁４２は、シール筒４１に接続する薄肉部４３と円錐台状の厚肉の栓部４４とからなっている。
薄肉部４３には、栓部４４との境界に沿って切断部４５が刻設されており、薄肉部４３の中間には、膨出リング４６が突設されている。
【００１９】
本実施形態の使用態様は、前実施形態と同様であるが、使用時の中栓底壁の切断について説明すると、図７に示すように、切断刃２８ａの先端を中栓栓部４４の周縁に当接するよう下降させて切断部４５に突き刺し、支持台Ｃａを持って切断刃２８ａを押し込んでいくと、切断部４５が破断され、栓部４４が薄肉部４３から切り離される。
図８に示すように、液導出筒２１ａを押し込んだときには、薄肉部４３の膨出リング４６が拡径部２９ａに係合して液流出路３０ａの断面を減少させることがない。
【００２０】
前記各実施形態では、切断刃を一枚刃としているが、複数の切断刃を等間隔に配設するようにしてもよい。
そのことによって、切断刃を底壁に正確に当接させることができる。
また、液導出筒の押し込みだけでなく、液導出筒をねじるようにすると、さらに切断を容易にすることができる。
【００２１】
【発明の効果】
本発明は、上記のように構成されているから、次の効果を奏する。
請求項１の発明によれば、中栓の底壁、栓部をシール筒の内周縁に沿って切断しているので、バリの発生をなくすことができ、液流出路の断面を減少させることはない。
【００２２】
請求項２の発明によれば、薄肉部に膨出リングを突設しているので、薄肉部がバリとして縦溝内に入ることを防ぐことができるので、液流出路の断面を減少させることはない。
【図面の簡単な説明】
【図１】本発明の第１実施形態の内容液注出容器の説明図である。
【図２】容器の説明図で、（ａ）は容器の一部断面立面図、（ｂ）は中栓の断面図である。
【図３】支持台の説明図で、（ａ）は断面立面図、（ｂ）は斜視図である。
【図４】中栓底壁の切断時の説明図である。
【図５】  使用時の説明図である。
【図６】  第２実施形態の容器と中栓の説明図で、（ａ）は容器、（ｂ）は中栓の断面図である。
【図７】中栓底壁の切断時の説明図である。
【図８】使用時の説明図である。
【図９】従来例の中栓底壁の説明図で、（ａ）は切断時の説明図、（ｂ）は使用時の説明図である。
【符号の説明】
Ａ、Ａｂ            容器
Ｂ、Ｂａ、Ｂｂ      中栓
Ｃ、Ｃａ            支持台
ａ                  バリ
１                  口部
９、９ａ            外筒
１０、１０ａ        上壁
１１、１１ａ、５３  内筒
１２、１２ａ        膨出環
１３、４０          上筒部
１４、４１          シール筒
１５、４２、５０    底壁
１６                切断溝
１７、４４          栓部
２０                支持板
２１、２１ａ、５１  液導出筒
２２                支持杆
２３                開口
２４                支持片
２５                空気流入路
２６                空気流入孔
２７                隔壁
２８、２８ａ、５２  切断刃
２９、２９ａ        拡径部
３０、３０ａ        液流出路
３１、５４          縦溝
４３                薄肉部
４５                切断部
４６                膨出リング
【図１】
0004021220.tif 000002
【図２】
0004021220.tif 000003
【図３】
0004021220.tif 000004
【図４】
0004021220.tif 000005
【図５】
0004021220.tif 000006
【図６】
0004021220.tif 000007
【図７】
0004021220.tif 000008
【図８】
0004021220.tif 000009
【図９】
0004021220.tif 000010